(57)【要約】【課題】本発明は自動的な便器蓋開け器を開示した。【解決手段】選択箱を含み、前記選択箱の左部外側には便座と固定的に連結される固定装置が設置されており、前記選択箱の中には前記固定装置の右側に位置するスイッチチャンバが設置されており、前記選択箱の中には前記スイッチチャンバの下側に位置する切替チャンバが設置されており、前記スイッチチャンバの中にはスイッチ装置が設置されており、その中、前記スイッチ装置が前記切替チャンバの中に伸びており、前記切替チャンバの中には翻転装置が回転できるように連結されており、本発明は内蔵する動力源の構造によって自動的に蓋を開ける動作を実現し、指定した速度内に制限する結構によって翻転の速度安定を保証し、できるだけ翻転速度がもたらした衝撃力によって便座に与えるダメージを減少し、同時に使用者自身の需要によって翻転でき、直接に便座に接触して細菌が付着することを防止する。【選択図】図１
2020179079.tif 000002
【特許請求の範囲】
【請求項１】
自動的な便器蓋開け器であって、選択箱を含み、前記選択箱の左部外側には便座と固定的に連結される固定装置が設置されており、前記選択箱の中には前記固定装置の右側に位置するスイッチチャンバが設置されており、前記選択箱の中には前記スイッチチャンバの下側に位置する切替チャンバが設置されており、前記スイッチチャンバの中にはスイッチ装置が設置されており、その中、前記スイッチ装置が前記切替チャンバの中に伸びており、前記切替チャンバの中には翻転装置が回転できるように連結されており、その中、前記翻転装置の中には選択掴み装置が設置され且つ前記スイッチ装置に制御され、前記選択箱の中には前記切替チャンバの右側に位置する伝動チャンバが設置されており、前記伝動チャンバの頂端の内壁の中にはモーターが嵌っており、前記モーターの底端には上下に伸びている伝動軸が伝動できるように連結されており、前記伝動軸には速度制限入力装置が設置され且つ前記翻転装置を制御することを特徴とする自動的な便器蓋開け器。
【請求項２】
前記固定装置は前記選択箱の左側に固定的に連結される支持柱を含み、前記支持柱の左端の末端には固定ボードが設置されており、前記固定ボードには上下に対称的なボルトがねじ山によって連結されることを特徴とする請求項１に記載の自動的な便器蓋開け器。
【請求項３】
前記スイッチ装置は前記スイッチチャンバの頂端の内壁とスライドできるように連結される連結枠を含み、前記連結枠の上端には推しボードが設置されており、前記推しボードの中には前記連結枠の下端外側に伸びている左右に対称的な昇降棒がスライドできるように連結されており、前記昇降棒の頂端には引張りボードが設置されており、前記引張りボードの下側と前記推しボードの上側との間には抑制撥条が連結されており、前記昇降棒には前記連結枠の下側に位置する回し梢が設置されており、前記推しボードの下側には前記切替チャンバの頂端内壁とスライドできるように連結される駆動柱が設置されており、前記駆動柱には左右に対称的な係止棒が回転できるように連結されており、前記係止棒の中には前記回し梢とスライドできるように連結される通槽が設置されており、前記駆動柱の下端末端には主推しブロックが回転できるように連結されており、前記スイッチチャンバの中には前記係止棒と当接する係止リングが設置されていることを特徴とする請求項１に記載の自動的な便器蓋開け器。
【請求項４】
前記翻転装置は前記切替チャンバと回転できるように連結され且つ左右に伸びており且つ前記切替チャンバを貫通した翻転軸を含み、前記翻転軸には前記伝動チャンバの中に位置する左傘歯車が設置されており、前記翻転軸には前記切替チャンバの左部外側に位置する翻転ブロックが設置されており、前記翻転ブロックの中には左に開口した凹槽が設置されており、前記凹槽の中には上下に対称的な摩擦溝が設置されており、上端の前記摩擦溝の中には上下に対称的な蓋爪がスライドできるように連結されており、前記蓋爪のうち相互に近接している側には上挟み撥条が連結されており、前記凹槽の中には下端の前記摩擦溝と当接するロックブロックがスライドできるように連結されており、前記ロックブロックの左端には座金爪が設置されており、前記座金爪のうち相互に近接している側には下挟み撥条が連結されており、前記凹槽の右側内壁には始動棒がスライドできるように連結されており、前記始動棒の左端末端には前記ロックブロックと当接する押えブロックが設置されており、前記始動棒には前記凹槽の右端の外側と当接する当接ボードが設置されており、前記当接ボードの左側と前記翻転ブロックの右側との間には戻し撥条が連結されており、その中、前記選択掴み装置が前記翻転軸に設置されており且つ前記翻転ブロックの右端に位置し、前記選択掴み装置には前記翻転軸の上下端にスライドできるように連結されている対称的なスライド棒が含まれ、前記スライド棒には前記当接ボードと当接する始動ボードが設置されており、前記スライド棒には前記主推しブロックと当接する推しリングが設置されており、前記推しリングと前記翻転軸の間がスライドできるように連結され、前記推しリングの左側と前記切替チャンバの左側内壁との間には圧縮撥条がスライドできるように連結されていることを特徴とする請求項１または請求項３に記載の自動的な便器蓋開け器。
【請求項５】
前記速度制限入力装置には前記伝動軸に設置されており且つ前記左傘歯車と噛合連結される伝動傘歯車が含まれ、前記伝動軸には前記伝動傘歯車の上端の中に位置する回転盤が設置されており、前記回転盤の中には速度制限推し棒がスライドできるように連結されており、前記速度制限推し棒と前記回転盤との間には引張り撥条が連結されており、前記伝動チャンバの内壁には前記回転盤の下端に位置する横アームが対称的に設置されており、前記横アームには前記速度制限推し棒と当接する回転棒が回転できるように連結されており、前記伝動チャンバの内壁には前記横アームの下端に位置する液圧棒が対称的に設置されており、前記液圧棒の前側には前記回転棒と当接する固定梢が設置されており、前記液圧棒のうち相互に近接している端には前記伝動軸と当接する摩擦シートが設置されていることを特徴とする請求項１または請求項４に記載の自動的な便器蓋開け器。
【発明の詳細な説明】
【技術分野】
【０００１】
本発明は生活用品の技術分野を取り上げて、具体的には自動的な便器蓋開け器である。
【背景技術】
【０００２】
便座の特殊性によって、使用者が直接に手で開ければ細菌が付着やすく、たとえ現有市場の回し便座取ってを使っても、手で上げ下げして細菌が同じく付着やすく、そのため自動的な便器蓋開け器は今便所用品業界発展の必然的な傾向になる。
【先行技術文献】
【特許文献】
【０００３】
【特許文献１】中国特許出願公開第１０３３００７８４号明細書
【発明の概要】
【発明が解決しようとする課題】
【０００４】
本発明の目的は自動的な便器蓋開け器を提供し、それは現有の技術の欠点を克服できる。
【課題を解決するための手段】
【０００５】
本発明の自動的な便器蓋開け器は、選択箱を含み、前記選択箱の左部外側には便座と固定的に連結される固定装置が設置されており、前記選択箱の中には前記固定装置の右側に位置するスイッチチャンバが設置されており、前記選択箱の中には前記スイッチチャンバの下側に位置する切替チャンバが設置されており、前記スイッチチャンバの中にはスイッチ装置が設置されており、その中、前記スイッチ装置が前記切替チャンバの中に伸びており、前記切替チャンバの中には翻転装置が回転できるように連結されており、その中、前記翻転装置の中には選択掴み装置が設置され且つ前記スイッチ装置に制御され、前記選択箱の中には前記切替チャンバの右側に位置する伝動チャンバが設置されており、前記伝動チャンバの頂端の内壁の中にはモーターが嵌っており、前記モーターの底端には上下に伸びている伝動軸が伝動できるように連結されており、前記伝動軸には速度制限入力装置が設置され且つ前記翻転装置を制御する。
【０００６】
更なる技術方案、前記固定装置は前記選択箱の左側に固定的に連結される支持柱を含み、前記支持柱の左端の末端には固定ボードが設置されており、前記固定ボードには上下に対称的なボルトがねじ山によって連結される。
【０００７】
前記スイッチ装置は前記スイッチチャンバの頂端の内壁とスライドできるように連結される連結枠を含み、前記連結枠の上端には推しボードが設置されており、前記推しボードの中には前記連結枠の下端外側に伸びている左右に対称的な昇降棒がスライドできるように連結されており、前記昇降棒の頂端には引張りボードが設置されており、前記引張りボードの下側と前記推しボードの上側との間には抑制撥条が連結されており、前記昇降棒には前記連結枠の下側に位置する回し梢が設置されており、前記推しボードの下側には前記切替チャンバの頂端内壁とスライドできるように連結される駆動柱が設置されており、前記駆動柱には左右に対称的な係止棒が回転できるように連結されており、前記係止棒の中には前記回し梢とスライドできるように連結される通槽が設置されており、前記駆動柱の下端末端には主推しブロックが回転できるように連結されており、前記スイッチチャンバの中には前記係止棒と当接する係止リングが設置されている。
【０００８】
更なる技術方案、前記翻転装置は前記切替チャンバと回転できるように連結され且つ左右に伸びており且つ前記切替チャンバを貫通した翻転軸を含み、前記翻転軸には前記伝動チャンバの中に位置する左傘歯車が設置されており、前記翻転軸には前記切替チャンバの左部外側に位置する翻転ブロックが設置されており、前記翻転ブロックの中には左に開口した凹槽が設置されており、前記凹槽の中には上下に対称的な摩擦溝が設置されており、上端の前記摩擦溝の中には上下に対称的な蓋爪がスライドできるように連結されており、前記蓋爪のうち相互に近接している側には上挟み撥条が連結されており、前記凹槽の中には下端の前記摩擦溝と当接するロックブロックがスライドできるように連結されており、前記ロックブロックの左端には座金爪が設置されており、前記座金爪のうち相互に近接している側には下挟み撥条が連結されており、前記凹槽の右側内壁には始動棒がスライドできるように連結されており、前記始動棒の左端末端には前記ロックブロックと当接する押えブロックが設置されており、前記始動棒には前記凹槽の右端の外側と当接する当接ボードが設置されており、前記当接ボードの左側と前記翻転ブロックの右側との間には戻し撥条が連結されており、その中、前記選択掴み装置が前記翻転軸に設置されており且つ前記翻転ブロックの右端に位置し、前記選択掴み装置には前記翻転軸の上下端にスライドできるように連結されている対称的なスライド棒が含まれ、前記スライド棒には前記当接ボードと当接する始動ボードが設置されており、前記スライド棒には前記主推しブロックと当接する推しリングが設置されており、前記推しリングと前記翻転軸の間がスライドできるように連結され、前記推しリングの左側と前記切替チャンバの左側内壁との間には圧縮撥条がスライドできるように連結されている。
【０００９】
更なる技術方案、前記速度制限入力装置には前記伝動軸に設置されており且つ前記左傘歯車と噛合連結される伝動傘歯車が含まれ、前記伝動軸には前記伝動傘歯車の上端の中に位置する回転盤が設置されており、前記回転盤の中には速度制限推し棒がスライドできるように連結されており、前記速度制限推し棒と前記回転盤との間には引張り撥条が連結されており、前記伝動チャンバの内壁には前記回転盤の下端に位置する横アームが対称的に設置されており、前記横アームには前記速度制限推し棒と当接する回転棒が回転できるように連結されており、前記伝動チャンバの内壁には前記横アームの下端に位置する液圧棒が対称的に設置されており、前記液圧棒の前側には前記回転棒と当接する固定梢が設置されており、前記液圧棒のうち相互に近接している端には前記伝動軸と当接する摩擦シートが設置されている。
【発明の効果】
【００１０】
本発明の有益な効果は：本発明は内蔵する動力源の構造によって自動的に蓋を開ける動作を実現し、指定した速度内に制限する結構によって翻転の速度安定を保証し、できるだけ翻転速度がもたらした衝撃力によって便座に与えるダメージを減少し、同時に使用者自身の需要によって翻転でき、直接に便座に接触して細菌が付着することを防止する。
【図面の簡単な説明】
【００１１】
便利に説明するために、本発明は下記の具体実施例及び附図によって詳しく説明する。
【図１】図１は本発明の自動的な便器蓋開け器の全体構成模式図
【図２】図２は図１の「Ａ」の拡大構成模式図
【図３】図３は図１の「Ｂ］の拡大構造模式図
【図４】図４は図１の速度制限装置の作動状態の構造模式図
【発明を実施するための形態】
【００１２】
以下、図１−４を参照して本発明を詳しく説明し、便利に叙述するように、現在は後文に出る方位を下記の通りに規定する：後文に出る上下左右前後方向は図１本体の投影関係の上下左右前後方向と一致する。
【００１３】
本発明の自動的な便器蓋開け器は、選択箱１０を含み、前記選択箱１０の左部外側には便座と固定的に連結される固定装置が設置されており、前記選択箱１０の中には前記固定装置の右側に位置するスイッチチャンバ４２が設置されており、前記選択箱１０の中には前記スイッチチャンバ４２の下側に位置する切替チャンバ４１が設置されており、前記スイッチチャンバ４２の中にはスイッチ装置が設置されており、その中、前記スイッチ装置が前記切替チャンバ４１の中に伸びており、前記切替チャンバ４１の中には翻転装置が回転できるように連結されており、その中、前記翻転装置の中には選択掴み装置が設置され且つ前記スイッチ装置に制御され、前記選択箱１０の中には前記切替チャンバ４１の右側に位置する伝動チャンバ１２が設置されており、前記伝動チャンバ１２の頂端の内壁の中にはモーター１１が嵌っており、前記モーター１１の底端には上下に伸びている伝動軸１３が伝動できるように連結されており、前記伝動軸１３には速度制限入力装置が設置され且つ前記翻転装置を制御する。
【００１４】
有益なように、前記固定装置は前記選択箱１０の左側に固定的に連結される支持柱４５を含み、前記支持柱４５の左端の末端には固定ボード４４が設置されており、前記固定ボード４４には上下に対称的なボルト４３がねじ山によって連結される。
【００１５】
有益なように、前記スイッチ装置は前記スイッチチャンバ４２の頂端の内壁とスライドできるように連結される連結枠５１を含み、前記連結枠５１の上端には推しボード４９が設置されており、前記推しボード４９の中には前記連結枠５１の下端外側に伸びている左右に対称的な昇降棒４８がスライドできるように連結されており、前記昇降棒４８の頂端には引張りボード４７が設置されており、前記引張りボード４７の下側と前記推しボード４９の上側との間には抑制撥条４６が連結されており、前記昇降棒４８には前記連結枠５１の下側に位置する回し梢５５が設置されており、前記推しボード４９の下側には前記切替チャンバ４１の頂端内壁とスライドできるように連結される駆動柱５０が設置されており、前記駆動柱５０には左右に対称的な係止棒５３が回転できるように連結されており、前記係止棒５３の中には前記回し梢５５とスライドできるように連結される通槽５４が設置されており、前記駆動柱５０の下端末端には主推しブロック４０が回転できるように連結されており、前記スイッチチャンバ４２の中には前記係止棒５３と当接する係止リング５２が設置されている。
【００１６】
有益なように、前記翻転装置は前記切替チャンバ４１と回転できるように連結され且つ左右に伸びており且つ前記切替チャンバ４１を貫通した翻転軸２４を含み、前記翻転軸２４には前記伝動チャンバ１２の中に位置する左傘歯車２２が設置されており、前記翻転軸２４には前記切替チャンバ４１の左部外側に位置する翻転ブロック３９が設置されており、前記翻転ブロック３９の中には左に開口した凹槽３８が設置されており、前記凹槽３８の中には上下に対称的な摩擦溝５６が設置されており、上端の前記摩擦溝５６の中には上下に対称的な蓋爪３６がスライドできるように連結されており、前記蓋爪３６のうち相互に近接している側には上挟み撥条３７が連結されており、前記凹槽３８の中には下端の前記摩擦溝５６と当接するロックブロック３５がスライドできるように連結されており、前記ロックブロック３５の左端には座金爪３３が設置されており、前記座金爪３３のうち相互に近接している側には下挟み撥条３４が連結されており、前記凹槽３８の右側内壁には始動棒３１がスライドできるように連結されており、前記始動棒３１の左端末端には前記ロックブロック３５と当接する押えブロック３２が設置されており、前記始動棒３１には前記凹槽３８の右端の外側と当接する当接ボード２９が設置されており、前記当接ボード２９の左側と前記翻転ブロック３９の右側との間には戻し撥条３０が連結されており、その中、前記選択掴み装置が前記翻転軸２４に設置されており且つ前記翻転ブロック３９の右端に位置し、前記選択掴み装置には前記翻転軸２４の上下端にスライドできるように連結されている対称的なスライド棒２７が含まれ、前記スライド棒２７には前記当接ボード２９と当接する始動ボード２８が設置されており、前記スライド棒２７には前記主推しブロック４０と当接する推しリング２５が設置されており、前記推しリング２５と前記翻転軸２４の間がスライドできるように連結され、前記推しリング２５の左側と前記切替チャンバ４１の左側内壁との間には圧縮撥条２６がスライドできるように連結されている。
【００１７】
有益なように、前記速度制限入力装置には前記伝動軸１３に設置されており且つ前記左傘歯車２２と噛合連結される伝動傘歯車２３が含まれ、前記伝動軸１３には前記伝動傘歯車２３の上端の中に位置する回転盤１６が設置されており、前記回転盤１６の中には速度制限推し棒１４がスライドできるように連結されており、前記速度制限推し棒１４と前記回転盤１６との間には引張り撥条１５が連結されており、前記伝動チャンバ１２の内壁には前記回転盤１６の下端に位置する横アーム１７が対称的に設置されており、前記横アーム１７には前記速度制限推し棒１４と当接する回転棒１８が回転できるように連結されており、前記伝動チャンバ１２の内壁には前記横アーム１７の下端に位置する液圧棒２１が対称的に設置されており、前記液圧棒２１の前側には前記回転棒１８と当接する固定梢１９が設置されており、前記液圧棒２１のうち相互に近接している端には前記伝動軸１３と当接する摩擦シート２０が設置されている。
【００１８】
本発明の装置は初期状態の時、蓋爪３６が上挟み撥条３７によって便器蓋を挟み、蓋爪３６と摩擦溝５６とを当接させ、係止リング５２は係止棒５３の下端に位置して係止棒５３の下端と当接し、押えブロック３２とロックブロック３５とが当接し、モーター１１が回転していなく、固定ボード４４によって便器壁と貼り付き、ボルト４３を使って固定させる。
【００１９】
本発明の装置を使って作業する時、モーター１１を始動して伝動軸１３によって回転盤１６と伝動傘歯車２３とを回転させ、回転盤１６は離心作用によって速度制限推し棒１４を向かい合ってスライドさせてスライド棒１８を回転させ、回転棒１８は固定梢１９との当接によって液圧棒２１における摩擦シート２０を推し動かして伝動軸１３と当接させ、摩擦によって速度を制限保証し、この時、伝動傘歯車２３は噛合連結されている左傘歯車２２によって翻転軸２４を回転させ、翻転軸２４は翻転ブロック３９によって蓋爪３６を回転させ、便器蓋を開け、便座を開ける必要がある時、上記作業過程を逆で進めて初期状態にさせ、引張りボード４７を引っ張って昇降棒４８における回し梢５５によって係止棒５３を上へ回転させ、同時に推しボード４９を下へ押えて連結枠５１と駆動柱５０を下へ移動させ、係止棒５３を係止リング５２に通し、引張りボード４７を放して抑制撥条４６の弾性回復によって係止棒５３を改めて係止リング５２と当接させ、この時、駆動柱５０が下へ移動して主推しブロック４０によって推しリング２５と当接させ、スライド棒２７を左へ推し動かして移動させて始動ボード２８によって当接ボード２９と当接させ、押えブロック３２を滑り出させてロックブロック３５と当接させ、ロックブロック３５を下挟み撥条３４の弾性回復によって便座を強く挟ませて下端の摩擦溝５６の中にスライドして入らせ、再びモーター１１を始動し、便器蓋を開けると同じ作業順序によって同時に両者を開ける。
【００２０】
以上の方式によって、本分野の技術人員は本発明の範囲に作業模式によって様々な変化ができる。
【図１】
2020179079.tif 000003
【図２】
2020179079.tif 000004
【図３】
2020179079.tif 000005
【図４】
2020179079.tif 000006